(57)【要約】      （修正有）【課題】レントゲンカメラで使用される放射線源において、放射性物質飛散防止及び劣化防止を図った線源を提供する。【解決手段】純透明液体シリコンに、一回のレントゲンカメラに使用される放射線量だけの放射線源を混合させた物質である放射線入り純透明液体シリコン１を、長い年月の劣化などから守る為に、筒状平板クリスタルガラス２をクリスタルガラス振動防止平板ゴムとクリスタルガラス固定アルミニューム板装置６で固定した容器に注入し、放射線漏れを防ぐ。【選択図】図２
2012108140.tif 000002
【特許請求の範囲】
【請求項１】
本先知的所有財産の先発明は、少量でも飛散させる放射線を、飛散させないために、純透明な液体シリコンに放射能線又は放射能アルコールを、混合させて、二枚の合わせ人工ダイヤガラス板状もしくは、二枚のクリスタルガラス板状もしくは二枚のプラスチックガラス板状の間に放射能を、混合させた透明なシリコン液を、二枚の透明なクリスタルガラスに閉じ込めた装置を、接着材加工した装置。
【請求項２】
本先知的財産は、放射線を飛散させないために、純透明な液体シリコンに放射線を閉じ込めた純透明な液体シリコン物質。
【請求項３】
本先知的所有財産は、放射線を飛散させない為に二枚のクリスタルガラスを、2センチメートルの薄板筒状のクリスタルガラスにして、中に放射線混合又は放射線入りの純透明液体シリコンを、入れるようにした装置で有り、クリスタルガラス蓋を接着加工もしくは、ネジ型加工した装置。
【請求項４】
本先知的所有財産は、放射線を飛散させない為に又はクリスタルガラスの振動防止のために、ボルトナットが取り付けれる穴空きゴム平板装置を備えた装置。
【請求項５】
本先知的所有財産は、放射線をまんべんなく内蔵させた純透明な液体シリコンを一度透明シリコン袋に入れたり又は残放射線をエアー回収などした装置。
【発明の詳細な説明】
【技術分野】
【０００１】
本先発明は、レントゲンカメラの放射線装置に関する装置説明。
【背景技術】
【０００２】
従来のレントゲンカメラの放射線装置は、少量の放射線をレントゲンカメラの外へ放射線をどうしても少量でも出さなければならなかった。
【０００３】
以下図1に於いて放射線入り純透明液体シリコン(1)は、筒状平板クリスタルガラス(2)に入る構造であり、クリスタルガラスボルトナット止め部分装置(4)は、クリスタルガラス筒状の内側に入る放射線入り純透明液体シリコンクリスタルガラス(2)をナット締め付けによる割れ防止のための構造であり、放射線入り液体シリコン注入場所は、平板取り付けかナット穴取り付けになる。
従ってクリスタルガラス(2)本体を、クリスタルガラス止め穴装置(5)で、ボルトナット固定出来る装置。
【０００４】
図2に於いて、放射線入り純液体シリコン(1)を詰めたクリスタルガラス(2)をクリスタルガラス固定アルミニューム板装置(6)によってアルミニューム板固定した装置。
【０００５】
図3に於いて放射線入り純液体シリコン(1)を詰めたクリスタルガラス(2)を、クリスタルガラス固定アルミニューム板装置(6)で止める場合、振動破損を防止するため、クリスタルガラス振動防止平板ゴム装置(8)を取り付ける事でクリスタルガラス(2)の振動防止とした装置。  
【０００６】
図4に於いて放射線入り純液体シリコン(1)を、筒状平板クリスタルガラス（2)に入れ方を
説明した図である。
【発明の概要】
【発明が解決しようとする課題】
【０００７】
コメント
2008年5月2日(金)PM15時13分から書き始める。           
以上述べた従来のレントゲンカメラでは少量でも、放射線を、放出しなければならなかった装置である。
【０００８】
本先知的所有財産は、この様な従来のレントゲンカメラ構造が、有していた問題を解決するものであり、レントゲンカメラからの放射線放出を、ゼロにする事を目的とするものである。
【課題を解決するための手段】
【０００９】
そして、本先知的所有財産は上記目的を達成するために放射線を、純透明液体シリコンに混合もしくは、放射線をまんべんなく注入した筒状平板クリスタルガラス装置を、破損防止のためにクリスタルガラス振動防止平板ゴムを、取り付けてクリスタルガラス固定アルミニューム板装置を取り付ける事で筒状平板クリスタルガラスを振動防止破損から守る構造としたボルトナット固定型装置であり、筒状平板クリスタルガラス装置のボルトナット取り付け部分は、クリスタルガラス板にゴムパッキンが、取り付けれる構造になっており、更にボルトナット締めで、クリスタルガラスが、割れて放射能漏れを、起こさないボルトナット締め部分は放射線入り純透明液体シリコンクリスタルガラス部分とは別構造になっている装置。
【００１０】
又第二の課題解決手段は、放射線入り純透明液体シリコン注入場所からの少量の放射線漏れ事故対策に対してクリスタルガラスナットもしくは錆び止めボルトを使用して入る事であり、空気抜け穴からは、間違って出た放射線を吸い取って放射線の純透明液体シリコンに放射線再注入して再利用出来る仕組みになって入る
【００１１】
又第三の課題は、放射能漏れ事故に対して又は放射線テロに対してもレントゲンカメラ一回使用分の放射線保存で済むため、万が一のテロ対策に対しても安全である。 
前書き
特許表示特許法第187条の現状公開事実に対しての先知的所有財産確認方法
理由   特許法第一条に基ずく   先発明先考案の保護の重大性の国民の目の確認
レントゲンカメラ放射線飛散防止装置とは、レントゲン写真を、取るときに少量の放射線を飛散させなければ、レントゲン写真が撮れないために、その放射線を、飛散させない装置を取り付けたレントゲンカメラ放射線飛散防止装置。
【００１２】（公序良俗違反につき、不掲載）【００１３】（公序良俗違反につき、不掲載）【００１４】（公序良俗違反につき、不掲載）【００１５】（公序良俗違反につき、不掲載）【００１６】（公序良俗違反につき、不掲載）【００１７】（公序良俗違反につき、不掲載）
【発明の効果】
【００１８】
上記したように本先知的財産のレントゲンカメラは、放射能法放出防止と一回のレントゲンカメラ使用の少量の放射線ストックで済むため、放射線テロに対して放射能もれ被害は、少なくなる。
【００１９】
また、筒状平板クリスタル構造しているため、他の超小型カメラにも使用可能なのは、明らかである。
【００２０】
また、ロボットなどの複数機能カメラなどには、本先知的財産のレントゲンカメラの放射線純透明液体シリコン固定装置付きのカメラは、救助ロボットの良きパートナーになり得る。
【００２１】
更に宇宙機械及び宇宙ロボットのレントゲンカメラの放射線純透明液体シリコン固定装置付きのカメラによって、宇宙治療も、楽になる。
【図面の簡単な説明】
【００２２】【図１】放射線入り純透明液体シリコン内蔵クリスタルガラス板装置正面図【図２】クリスタルガラス板止めアルミニューム板装置正面図【図３】クリスタルガラス振動防止平板ゴム正面図【図４】放射線入り純透明液体シリコン注入状態正面図（公序良俗違反につき、不掲載）
【発明を実施するための形態】
【００２３】
以下本先知的所有財産先発明の試作実施の形態をあらかじめ図1から図4に基ずいて説明する。
【００２４】
図に於いて1は放射線入り純透明液体シリコンであり、これを格納するための筒状平板クリスタルガラス(2)そして放射線純透明液体シリコン注入場所(3)からの構造であり、筒状平板クリスタルガラス(2)を固定するためのクリスタルガラス止め穴(5)を介しクリスタルガラスボルトナット止め部分(4)は、クリスタルガラス本体(2)の破損防止箇所に設けられて入る。
従ってクリスタルガラス振動防止平板ゴムは(8)は、クリスタルガラス(2)の破損を、防ぐそしてクリスタルガラス固定アルミニューム板装置(6)によってクリスタルガラス振動防止平板ゴム(8)事、筒状平板クリスタルガラス(2)を固定している装置。
【００２５】
図2において放射線入り純透明液体シリコン(1)を収納した筒状平板クリスタルガラス(2) に於いて、この装置を固定するためクリスタルガラス固定アルミニューム板装置(6)である。
【００２６】
図3に於いて筒状平板クリスタルガラス(2)を、振動破損防止の観点から守るために、クリスタルガラス振動防止平板ゴム(8)装置が、設置されている。
【００２７】
図4に於いて筒状平板クリスタルガラス(2)に放射線純透明液体シリコン注入場所(3)を経て、放射線入り純透明液体シリコン注入官(9)を説明したもので有り、自然的に弱冠の放射線入りのエアー(空気)が、エアー抜き官(10)を、通じて放射線再利用もされる。
【００２８】
また、図1に於いて放射線入り純透明液体シリコン注入場所(3)は、錆止めボルトを、使用する事によって尚一層の放射線漏れを防止した、放射線入り純透明液体シリコン(1)入りの筒状平板クリスタルガラス(2)装置の製造方法としての説明である。                      
【符号の説明】
【００２９】
1  放射線入り純透明液体シリコン
2  筒状平板クリスタルガラス
3  放射線入り純透明液体シリコン注入場所
4  クリスタルガラスナット止め穴部分装置         
5  クリスタルガラスナット止め穴装置
6  クリスタルガラス固定アルミニューム板装置
7  放射線入り純透明液体シリコン注入封印後
8  クリスタルガラス振動防止平板ゴム    
9  放射線入り純透明液体シリコン注入官
10 エアー抜き官
11 レントゲンカメラ補助装置。
【図１】
2012108140.tif 000003
【図２】
2012108140.tif 000004
【図３】
2012108140.tif 000005
【図４】
2012108140.tif 000006
【図５】
2012108140.tif 000007
【図６】
2012108140.tif 000008
【図７】
2012108140.tif 000009
【図８】
2012108140.tif 000010
【図９】
2012108140.tif 000011
【図１０】
2012108140.tif 000012
【図１１】
2012108140.tif 000013
【図１２】
2012108140.tif 000014
【図１３】
2012108140.tif 000015